(57)【特許請求の範囲】
【請求項１】
ガス使用量を検出し、検出したガス使用量を積算して表示するガスメータであって、
流路内を流れるガスの圧力を検出するガス圧力検出手段と、
前記ガス圧力検出手段により検出されたガス圧力に基づいて、上流側配管内の水入りを判断する判断手段と、を備え、
前記判断手段は、上流側配管内に水が入ったか否かを判断しない通常モードにおいて、前記ガス圧力検出手段により検出されたガス圧力が第１所定圧力未満まで低下し、又は第２所定圧力以上低下する低下特性を示した場合、前記通常モードから、上流側配管内に水が入ったか否かを判断する水入り検出モードに移行する
ことを特徴とするガスメータ。
【請求項２】
前記判断手段は、前記水入り検出モードにおいて、前記ガス圧力検出手段により検出された所定回数分のガス圧力の最大値と最小値との差が所定値以上である場合、上流側配管内に水が溜まったと判断する
ことを特徴とする請求項１に記載のガスメータ。
【請求項３】
前記判断手段は、前記水入り検出モードにおいて、前記ガス圧力検出手段により検出された所定回数分のガス圧力の平均値が規定圧力未満である場合、上流側配管内に水が溜まったと判断する
ことを特徴とする請求項１又は請求項２のいずれかに記載のガスメータ。
【請求項４】
ガス使用量を検出し、検出したガス使用量を積算して表示するガスメータの配管水入り検出方法であって、
流路内を流れるガスの圧力を検出するガス圧力検出工程と、
前記ガス圧力検出工程において検出されたガス圧力に基づいて、上流側配管内の水入りを判断する判断工程と、を備え、
前記判断工程では、上流側配管内に水が入ったか否かを判断しない通常モードにおいて、前記ガス圧力検出工程において検出されたガス圧力が第１所定圧力未満まで低下し、又は第２所定圧力以上低下する低下特性を示した場合、前記通常モードから、上流側配管内に水が入ったか否かを判断する水入り検出モードに移行する
ことを特徴とするガスメータの配管水入り検出方法。
【発明の詳細な説明】
【技術分野】
【０００１】
本発明は、ガスメータ、及び配管水入り検出方法に関する。
【背景技術】
【０００２】
従来、使用したガスの流量を積算計測するガスメータが提案されている（例えば、特許文献１）。このようなガスメータでは、ガス流量を流量センサにて検出し、検出量を過去の積算流量に積算して表示する構成となっている。
【先行技術文献】
【特許文献】
【０００３】
【特許文献１】特開２００９−３０９７６号公報
【発明の概要】
【発明が解決しようとする課題】
【０００４】
ところで、従来のガスメータを含むガス供給システムでは、ガス配管に亀裂が入り、そこから雨水が浸入して配管内に水が溜まることがある。しかし、従来のガスメータでは、配管内に水が溜まったことを検出することができない。そこで、ガスメータの流路内に水分センサを設けたとすると、センサ費用が掛かるだけでなく、センサ配線のシール構造なども必要となり一層コスト高となってしまう。
【０００５】
本発明はこのような従来の課題を解決するためになされたものであり、その目的とするところは、コストを抑えつつ、配管内に水が溜まったことを検出することが可能なガスメータ、及び配管水入り検出方法を提供することにある。
【課題を解決するための手段】
【０００６】
本発明のガスメータは、ガス使用量を検出し、検出したガス使用量を積算して表示するガスメータであって、流路内を流れるガスの圧力を検出するガス圧力検出手段と、前記ガス圧力検出手段により検出されたガス圧力に基づいて、上流側配管内の水入りを判断する判断手段と、を備え、前記判断手段は、上流側配管内に水が入ったか否かを判断しない通常モードにおいて、前記ガス圧力検出手段により検出されたガス圧力が第１所定圧力未満まで低下し、又は第２所定圧力以上低下する低下特性を示した場合、前記通常モードから、上流側配管内に水が入ったか否かを判断する水入り検出モードに移行することを特徴とする。
【０００７】
このガスメータによれば、検出されたガス圧力が第１所定圧力未満まで低下し、又は第２所定圧力以上低下する低下特性を示した場合、上流側配管内に水が溜まったと判断する。ここで、本件発明者らは、上流側配管内の水量が半分程度から満水未満となると、ガスメータ内の検出圧力の平均値が第１所定圧力未満となり、又は第２所定圧力以上低下する低下特性を示すことを見出した。よって、上記場合に上流側配管内に水が溜まったと判断することができる。特に、水入りは判断手段による処理によって判断されるため、水分センサをメータ内に設ける必要がない。従って、コストを抑えつつ、配管内に水が溜まったことを検出することができる。
【０００８】
また、本発明のガスメータにおいて、前記判断手段は、前記水入り検出モードにおいて、前記ガス圧力検出手段により検出された所定回数分のガス圧力の最大値と最小値との差が所定値以上である場合、上流側配管内に水が溜まったと判断することが好ましい。
【０００９】
このガスメータによれば、検出された所定回数分のガス圧力の最大値と最小値との差が所定値以上である場合、上流側配管内に水が溜まったと判断する。ここで、上流側配管内に水が溜まった状態でガスが使用されると水面が波打つことによりガス圧力に脈動が発生する。このため、上記場合、水面の波打ちによる脈動の発生を判断することができ、配管内に水が溜まったことを検出することができる。
【００１０】
また、本発明のガスメータにおいて、前記判断手段は、前記水入り検出モードにおいて、前記ガス圧力検出手段により検出された所定回数分のガス圧力の平均値が規定圧力未満である場合、上流側配管内に水が溜まったと判断することが好ましい。
【００１１】
このガスメータによれば、検出された所定回数分のガス圧力の平均値が規定圧力未満である場合、上流側配管内に水が溜まったと判断する。ここで、上流側配管内に水が溜まった状態でガスが使用されると、水が溜まった影響からガス器具使用時には低下し得ない程度まで、ガス圧力が低下する傾向にある。このため、上記場合、ガス器具使用時には低下し得ないガス圧力の低下が確認されることとなり、配管内に水が溜まったことを検出することができる。
【００１２】
また、本発明のガスメータの配管水入り検出方法は、ガス使用量を検出し、検出したガス使用量を積算して表示するガスメータの配管水入り検出方法であって、流路内を流れるガスの圧力を検出するガス圧力検出工程と、前記ガス圧力検出工程において検出されたガス圧力に基づいて、上流側配管内の水入りを判断する判断工程と、を備え、前記判断工程では、上流側配管内に水が入ったか否かを判断しない通常モードにおいて、前記ガス圧力検出工程において検出されたガス圧力が第１所定圧力未満まで低下し、又は第２所定圧力以上低下する低下特性を示した場合、前記通常モードから、上流側配管内に水が入ったか否かを判断する水入り検出モードに移行することを特徴とする。
【００１３】
このガスメータの配管水入り検出方法によれば、検出されたガス圧力が第１所定圧力未満まで低下し、又は第２所定圧力以上低下する低下特性を示した場合、上流側配管内に水が溜まったと判断する。ここで、本件発明者らは、上流側配管内の水量が半分程度から満水未満となると、ガスメータ内の検出圧力の平均値が第１所定圧力未満となり、又は第２所定圧力以上低下する低下特性を示すことを見出した。よって、上記場合に上流側配管内に水が溜まったと判断することができる。特に、水入りは判断工程における処理によって判断されるため、水分センサをメータ内に設ける必要がない。従って、コストを抑えつつ、配管内に水が溜まったことを検出することができる。
【発明の効果】
【００１４】
本発明によれば、コストを抑えつつ、配管内に水が溜まったことを検出することができる。
【図面の簡単な説明】
【００１５】
【図１】本発明の実施形態に係るガスメータを含むガス供給システムの構成図である。
【図２】図１に示した上流側配管に水が溜まった場合の圧力特性を示す図である。
【図３】本実施形態に係るガスメータの配管水入り検出方法の詳細を示すフローチャートである。
【発明を実施するための形態】
【００１６】
以下、本発明の好適な実施形態を図面に基づいて説明する。図１は、本発明の実施形態に係るガスメータを含むガス供給システムの構成図である。ガス供給システム１は、各ガス器具１０に燃料ガスを供給するものであって、複数のガス器具１０と、配管３１，３２と、ガスメータ４０とを備えている。
【００１７】
上流側配管３１は、ガス供給元とガスメータ４０とを接続するものである。下流側配管３２はガスメータ４０とガス器具１０とを接続する配管である。ガスメータ４０は、ガス使用量を検出し、検出したガス使用量を積算して表示するものである。このようなガス供給システム１では、ガスメータ４０内に上流側配管３１及び下流側配管３２とつながる流路が形成されており、燃料ガスは上流側配管３１からガスメータ４０、及び下流側配管３２を通じてガス器具１０に到達し、ガス器具１０において燃焼されることとなる。
【００１８】
ここで、従来のガス供給システム１では上流側配管３１に亀裂が入り上流側配管３１に水Ｗが溜まる可能性がある。しかし、従来のガスメータ４０では上流側配管３１に水Ｗが溜まったことを判断できない。そこで、本実施形態に係るガスメータ４０は圧力センサ（圧力検出手段）４１と判断部（判断手段）４２とによって、上流側配管３１に水Ｗが溜まったことを判断するようになっている。
【００１９】
圧力センサ４１は、ガスメータ４０の流路内を流れるガスの圧力を検出するものである。判断部４２は、圧力センサ４１により検出されたガス圧力に基づいて、上流側配管３１内の水入りを判断するものである。ここで、本件発明者らは、上流側配管３１に水Ｗが溜まり水量が半分程度から満水未満となると、ガスメータ１内の検出圧力が低下する傾向にあることを見出した。よって、検出圧力が低下する傾向にあるときに、上流側配管３１に水Ｗが溜まったと判断することができる。
【００２０】
具体的に説明すると、判断部４２は、上流側配管３１に水Ｗが入ったか否かを判断しない通常モードと、上流側配管３１に水Ｗが入ったか否かを判断する水入り検出モードとを有している。上記したように、上流側配管３１に水Ｗが溜まり水量が半分程度から満水未満となると、ガスメータ１内の検出圧力は低下する。このため、判断部４２は、圧力センサ４１により検出されたガス圧力が第１所定圧力未満まで低下し、又は、圧力センサ４１により検出されたガス圧力が第２所定圧力以上低下する低下特性を示した場合に、通常モードから水入り検出モードに移行する。そして、判断部４２は、水入り検出モードにおいて上流側配管３１に水Ｗが入ったか否かを判断することとなる。
【００２１】
この水入り検出モードにおいて判断部４２は、圧力センサ４１により検出されたガス圧力を所定回数分検出する。そして、判断部４２は、検出した所定回数分のガス圧力から、上流側配管３１に水Ｗが入ったか否かを判断する。
【００２２】
ここで、配管３１内の水Ｗが半分程度から満水未満となった状態でガスが使用されると水面が波打つことにより、脈動が発生して検出圧力が不安定となる。このため、判断部４２は、脈動を考慮して平均値を採用し、検出圧力の平均値が規定圧力未満である場合に上流側配管３１に水Ｗが溜まったと判断する。これにより、本実施形態に係るガスメータ１は上流側配管３１に水Ｗが溜まったことを精度よく判断することができる。
【００２３】
なお、上記第１所定圧力は、ガス器具１０使用時において低下し得ない圧力とされていることが望ましい。これにより、ガス器具１０の使用による圧力低下によって、誤って通常モードから水入り検出モードに移行してしまうことを防止できるからである。具体的に上記第１所定圧力は、例えば１０００Ｐａであるが、この数値は可変となっていることが望ましい。これにより、各家庭の配管状態に応じて適切な値とできるからである。
【００２４】
さらに、上記規定圧力についても、ガス器具１０使用時において低下し得ない程度の圧力平均値とされていることが望ましい。具体的に規定圧力は１．４ｋＰａとされている。これにより、ガス器具１０の使用による圧力低下によって、上流側配管３１に水Ｗが溜まったと誤判断することを防止できるからである。
【００２５】
なお、上記では水入り検出モードに移行し、所定回数分検出したガス圧力の平均値が規定圧力未満である場合に上流側配管３１に水Ｗが溜まったと判断しているが、これに限らず、所定回数分検出したガス圧力の最大値と最小値との差が所定値以上である場合に、上流側配管３１に水Ｗが溜まったと判断してもよい。
【００２６】
この点を含めて図２を参照し、説明する。図２は、図１に示した上流側配管３１に水Ｗが溜まった場合の圧力特性を示す図である。なお、図２では上流側配管３１に水Ｗが溜まった場合の圧力特性を実線にて示し、ガスヒートポンプ（以下ＧＨＰと称する）使用時における圧力特性を破線にて示している。
【００２７】
より具体的に上流側配管３１に水Ｗが溜まった場合、圧力値は以下の特性を示す。まず、図２の実線に示すように、時刻０においてガス圧力は約２．９ｋＰａとなっているとする。その後、時刻ｔ１においてガス器具１０の使用が開始されたとすると、圧力は低下し始める。そして、圧力は時刻ｔ２において８３０Ｐａ未満にまで低下する。このように、上流側配管３１に水Ｗが溜まった場合にガス器具１０が使用されると、第１所定圧力（例えば１０００Ｐａ）未満の圧力値を示す傾向にある。このため、判断部４２は水入り検出モードに移行する。
【００２８】
また、圧力は水面が波打つことにより脈動を示す。なお、脈動中におけるガス圧力の平均値は１．４ｋＰａ未満である。このため、判断部４２は、水入り検出モードに移行後、圧力の平均値が規定圧力（１．４ｋＰａ）未満となった場合、上流側配管３１に水Ｗが溜まったと判断することができる。
【００２９】
また、水面が波打つことにより発生する脈動の振幅は、８００Ｐａ以上を示す。このため、判断部４２は、水入り検出モードに移行後、ガス圧力の最大値と最小値との差が所定値（例えば８００Ｐａ）以上となった場合、上流側配管３１に水Ｗが溜まったと判断することができる。
【００３０】
一方、図２の破線に示すように、ＧＨＰの使用時においても脈動は発生する。しかし、この脈動中においてガス圧力の平均値は１．４ｋＰａ以上であり、しかも脈動は８００Ｐａ未満の振幅を示す程度である。従って、本実施形態において判断部４２は、ＧＨＰの使用によって上流側配管３１に水Ｗが溜まったと誤判断しないようになっている。
【００３１】
また、これに限らず判断部４２は、圧力センサ４１によって第２所定値（例えば２００Ｐａ）以上の圧力の上昇又は低下が所定回数以上発生した場合に、上流側配管３１Ｗに水が溜まったことを判断してもよい。上記のように上流側配管３１に水が溜まった場合、水面が波打つことから脈動が発生する。このため、圧力の上昇と低下とを繰り返すこととなる。よって、第２所定値以上の圧力の上昇と低下とを所定回数以上繰り返した場合に、上流側配管３１に水Ｗが溜まったことを判断するとよい。しかし、圧力センサ４１のサンプリング時間によって圧力の上昇と低下とを厳密に判断できない場合があり得る。以上より、圧力の上昇又は低下が所定回数以上発生した場合に上流側配管３１に水Ｗが溜まったことを判断する。これによっても判断精度を向上させることができる。
【００３２】
再度、図１を参照する。本実施形態においてガスメータ１は周期設定部４３をさらに備えている。周期設定部４３は、圧力センサ４１による検出周期を設定するものである。上記したように水入りによる脈動をとらえてガス圧力の平均値を求める場合、及び、脈動を判断する場合には、検出周期が短いことが望ましい。これにより、一層精度を向上できるからである。特に、ガスメータ４０は通常において１０秒に１回程度しかガス圧力を検出しておらず、このような検出周期では脈動をとらえることが困難となってしまう。そこで、本実施形態に係る周期設定部４３は、低下特性を示した場合に１０秒の検出周期を１秒、０．１秒、又は１ミリ秒などに変更する。
【００３３】
具体的に説明すると、１０００Ｐａ未満の圧力が検出されると（例えば図２に示した時刻ｔ２の時点が１０秒に１回の圧力検出周期であった場合、時刻ｔ２時点から）、周期設定部４３は、圧力センサ４１の検出周期を短くする。なお、周期設定部４３は、１０００Ｐａ未満の圧力が検出され場合に限らず、第２所定圧力以上低下する低下特性を示した場合に、圧力センサ４１の検出周期を短くしてもよい。
【００３４】
また、周期設定部４３は、圧力センサ４１による検出周期を短くしてから、圧力センサ４１により検出されたガス圧力の平均値が第３所定圧力（例えば１１３０Ｐａ）以上まで上昇し又は第４所圧力以上上昇する上昇特性を示した場合、検出周期を、低下特性を示す前の周期に戻す。ここで、検出されたガス圧力の平均値が上昇特性を示す場合とは、もはや水入りが原因により圧力が低下したといえず他の要因によって示したといえる。このため、脈動の発生の可能性が少ないことから、検出周期をもとに戻すことにより消費電力を低減することができる。
【００３５】
再度、図１を参照する。図１に示すようにガスメータ４０は、カウント部４４と保安部４５とを備えている。カウント部４４は、判断部４２により水Ｗが溜まったと判断された回数をカウントするものである。保安部４５は、警報動作、警報するための信号出力及び遮断弁の弁閉の少なくとも１つを行うものである。この保安部４５は、カウント部４４によりカウントされたカウント回数が規定回数以上となった場合に、警報動作等を行うこととなる。さらに、カウント部４４は、規定時間毎にカウント回数をリセットするようにもなっている。
【００３６】
次に、本実施形態に係るガスメータ４０の水入り検出方法について説明する。図３は、本実施形態に係るガスメータ４０の水入り検出方法の詳細を示すフローチャートである。
【００３７】
まず、図３に示すように判断部４２は、圧力センサ４１により検出されたガス圧力が１０００Ｐａ（第１所定圧力）未満となったか否かを判断する（Ｓ１）。なお、ガス圧力が１０００Ｐａ未満となったか否かを判断するのに代えて、ガス圧力が第２所定圧力以上低下することを判断してもよい。
【００３８】
ガス圧力が１０００Ｐａ未満とならなかったと判断した場合（Ｓ１：ＮＯ）、１０００Ｐａ未満となったと判断されるまで、この処理が繰り返される。ガス圧力が１０００Ｐａ未満となったと判断した場合（Ｓ１：ＹＥＳ）、判断部４２は通常モードから水入り検出モードに移行する（Ｓ２）。
【００３９】
そして、周期設定部４３は検出周期を１０秒から０．１秒に変更し、圧力センサ４１は変更後の周期でｎ１回（具体的には１５回であって、回数は変更可能であることが望ましい）圧力を検出する（Ｓ３）。
【００４０】
その後、判断部４２は、圧力センサ４１により検出された圧力の平均値が上昇特性を示したか否かを判断する（Ｓ４）。上昇特性を示していないと判断した場合（Ｓ４：ＮＯ）、判断部４２は、ステップＳ２におけるｎ１回の計測値の平均値が１．４ｋＰａ未満であるか否かを判断する（Ｓ５）。平均値が１．４ｋＰａ未満でないと判断した場合（Ｓ５：ＮＯ）、処理はステップＳ１３に移行する。
【００４１】
一方、平均値が１．４ｋＰａ未満であると判断した場合（Ｓ５：ＹＥＳ）、判断部４２は、検出されたガス圧力の最大値と最小値との差が８００Ｐａ以上であるか否かを判断する（Ｓ６）。最大値と最小値との差が８００Ｐａ以上であると判断した場合（Ｓ６：ＹＥＳ）、判断部４２は上流側配管３１に水Ｗが溜まったと判断する（Ｓ７）。このとき、カウント部４４はカウント回数ｎ３をインクリメントし、その後、処理はステップＳ８に移行する。
【００４２】
一方、最大値と最小値との差が８００Ｐａ以上でないと判断した場合（Ｓ６：ＮＯ）、処理はステップＳ１３に移行する。
【００４３】
ステップＳ８において保安部４５は、水入り検出回数がｎ３回以上であるか否かを判断する（Ｓ８）。水入り検出回数がｎ３回以上でないと判断した場合（Ｓ８：ＮＯ）、処理はステップＳ１３に移行する。一方、水入り検出回数がｎ３回以上であると判断した場合（Ｓ８：ＹＥＳ）、保安部４５は、警報動作及び警報するための信号出力を行う（Ｓ９）。
【００４４】
そして、カウント部４４は、警報回数がｎ４回以上であるか否かを判断する（Ｓ１０）。警報回数がｎ４回以上でないと判断した場合（Ｓ１０：ＮＯ）、処理はステップＳ１３に移行する。一方、警報回数がｎ４回以上であると判断した場合（Ｓ１０：ＹＥＳ）、保安部４５は遮断弁を閉じ（Ｓ１１）、図３に示す処理は終了する。
【００４５】
ところで、ステップＳ３において上昇特性を示したと判断した場合（Ｓ３：ＹＥＳ）、上流側配管３１に水が溜まったことにより、ステップＳ１において「ＹＥＳ」と判断されたわけではなく、他の要因によってステップＳ１において「ＹＥＳ」と判断されたといえる。よって、周期設定部４３は、検出周期を０．１秒から１０秒に変更し、検出周期をもとに戻す（Ｓ１２）。このとき、モードは水入り検出モードから通常モードに移行する。そして、処理はステップＳ１３に移行する。
【００４６】
また、ステップＳ１２の後、ステップＳ５において「ＮＯ」と判断された場合、ステップＳ６において「ＮＯ」と判断された場合、ステップＳ８において「ＮＯ」と判断された場合、又は、ステップＳ１０において「ＮＯ」と判断された場合、カウント部４４は、規定時間経過したか否かを判断する（Ｓ１３）。規定時間経過してないと判断した場合（Ｓ１３：ＮＯ）、処理はステップＳ１に移行する。
【００４７】
一方、規定時間経過したと判断した場合（Ｓ１３：ＹＥＳ）、カウント部４４は変数であるｎ３、ｎ４を初期化し（Ｓ１４）、処理はステップＳ１に移行する。
【００４８】
このようにして、本実施形態に係るガスメータ４０及び配管水入り検出方法によれば、検出されたガス圧力が第１所定圧力未満まで低下し、又は第２所定圧力以上低下する低下特性を示した場合、上流側配管３１内に水Ｗが溜まったと判断する。ここで、本件発明者らは、上流側配管３１内の水量が半分程度から満水未満となると、ガスメータ４０内の検出圧力の平均値が第１所定圧力未満となり、又は第２所定圧力以上低下する低下特性を示すことを見出した。よって、上記場合に上流側配管２１内に水Ｗが溜まったと判断することができる。特に、水入りは判断部４２による（判断工程における）処理によって判断されるため、水分センサをメータ内に設ける必要がない。従って、コストを抑えつつ、配管内に水Ｗが溜まったことを検出することができる。
【００４９】
また、検出された所定回数分のガス圧力の最大値と最小値との差が所定値以上である場合、上流側配管３１内に水が溜まったと判断する。ここで、上流側配管３１内に水Ｗが溜まった状態でガスが使用されると水面が波打つことによりガス圧力に脈動が発生する。このため、上記場合、水面の波打ちによる脈動の発生を判断することができ、配管内に水Ｗが溜まったことを検出することができる。
【００５０】
また、検出された所定回数分のガス圧力の平均値が規定圧力未満である場合、上流側配管３１内に水Ｗが溜まったと判断する。ここで、上流側配管３１内に水Ｗが溜まった状態でガスが使用されると、水Ｗが溜まった影響からガス器具１０の使用時には低下し得ない程度まで、ガス圧力が低下する傾向にある。このため、上記場合、ガス器具使用時には低下し得ないガス圧力の低下が確認されることとなり、配管内に水Ｗが溜まったことを検出することができる。
【００５１】
また、検出されたガス圧力が第１所定圧力未満まで低下し、又は第２所定圧力以上低下する低下特性を示した場合、上流側配管３１内に水Ｗが溜まったと判断する。ここで、本件発明者らは、上流側配管３１内の水量が半分程度から満水未満となると、ガスメータ４０内の検出圧力の平均値が第１所定圧力未満となり、又は第２所定圧力以上低下する低下特性を示すことを見出した。よって、上記場合に上流側配管３１内に水Ｗが溜まったと判断することができる。特に、水入りは判断工程における処理によって判断されるため、水分センサをメータ内に設ける必要がない。従って、コストを抑えつつ、配管内に水Ｗが溜まったことを検出することができる。
【００５２】
以上、実施形態に基づき本発明を説明したが、本発明は上記実施形態に限られるものではなく、本発明の趣旨を逸脱しない範囲で、変更を加えてもよい。例えば、上記に示した各数値についてはガスメータ４０の使用環境や仕様等によって様々な値に変更可能である。
【００５３】
また、本実施形態では図３に示すように、ステップＳ５で「ＹＥＳ」と判断され、且つ、ステップＳ６で「ＹＥＳ」と判断された場合に、上流側配管３１に水Ｗが溜まったと判断している。しかし、これに限らず、ステップＳ４及びステップＳ５のいずれか１つでも「ＹＥＳ」と判断された場合に、上流側配管３１に水Ｗが溜まったと判断してもよい。
【００５４】
さらに、上記実施形態において、判断部４２は、２００Ｐａ以上の圧力の上昇又は低下がｎ２回以上発生したか否かを判断し、ｎ２回以上発生した場合に上流側配管３１に水Ｗが溜まったと判断してもよい旨を述べた。しかし、これに限らず、より精度よく脈動を判断するために、２００Ｐａ以上の圧力の上昇及び低下の双方が各ｎ２回（具体的には３回）以上発生したか否かを判断してもよい。これにより、脈動を一層適切に判断できるからである。
【符号の説明】
【００５５】
１…ガス供給システム
１０…ガス器具
２０…調整器
３１…上流側配管
３２…下流側配管
４０…ガスメータ
４１…圧力センサ（圧力検出手段）
４２…判断部（判断手段）
４３…周期設定部
４４…カウント部
４５…保安部
【図１】
0005564283.tif 000002
【図２】
0005564283.tif 000003
【図３】
0005564283.tif 000004